(57)【特許請求の範囲】
【請求項１】
内部に基板を収容した筐体の天面において当該基板の投影面から外れた位置に穴が開口している電子機器内にあって、前記穴から前記筐体内へ侵入した水が前記基板にかかることを防止する防水構造であって、
前記筐体の天面において前記基板の投影面より前記穴側に、下方に向かって突設され、前記穴から侵入して前記天面の内側を伝う水を前記基板の手前に落下させる第１凸部と、
前記筐体内に配置されて、前記穴側が高く、前記基板側が低い傾斜面と、
前記傾斜面に上方に向かって突設され、前記傾斜面を伝う水を前記基板を避ける方向へ導く第２凸部とを備えることを特徴とする防水構造。
【請求項２】
前記第２凸部は、前記基板の当該第２凸部に対向する端辺より長い突条であることを特徴とする請求項１記載の防水構造。
【請求項３】
前記傾斜面は、前記第２凸部の端部に開口した水抜き穴を有することを特徴とする請求項１記載の防水構造。
【請求項４】
前記電子機器は、前記筐体の天面を天井に取り付ける天吊り用表示装置であることを特徴とする請求項１記載の防水構造。
【発明の詳細な説明】
【技術分野】
【０００１】
この発明は、電子機器の筐体内に収容された基板に水がかかることを防止する防水構造に関するものである。
【背景技術】
【０００２】
特許文献１の電子機器において、上方から電子機器筐体の天面に落ちてくる水滴および天面に溜まった水分が筐体内部に侵入することを防止するために、天面に導水手段を設けていた。【０００３】
特許文献２に係る電子機器において、電子機器筐体の内部の水を筐体底壁の排水穴に誘導するために、筐体側壁にケース側誘い込みリブとカバー側誘い込みリブを設けていた。
【先行技術文献】
【特許文献】
【０００４】
【特許文献１】特開２０１０−５６４４７号公報
【特許文献２】特開２００４−９６９６８号公報
【発明の概要】
【発明が解決しようとする課題】
【０００５】
電子機器の基板上方に配置される部品に穴が開いていると、その穴から結露等で水が入り、基板に水がかかることでショートする可能性がある。しかしながら、上記特許文献１の構造では筐体内部へ侵入した水を誘導する手段が無いため、また、上記特許文献２の構造では穴から侵入して筐体天面の内側を伝う水を誘導する手段が無いため、基板上方の穴から筐体内部へ侵入した水が基板にかかることを防止できないという課題があった。【０００６】
この発明は、上記のような課題を解決するためになされたもので、基板上方の穴から筐体内部へ侵入した水が基板にかかることを防止することを目的とする。
【課題を解決するための手段】
【０００７】
この発明に係る防水構造は、内部に基板を収容した筐体の天面において当該基板の投影面から外れた位置に穴が開口している電子機器内にあって、穴から筐体内へ侵入した水が基板にかかることを防止するものであって、筐体の天面において基板の投影面より穴側に、下方に向かって突設され、穴から侵入して天面の内側を伝う水を基板の手前に落下させる第１凸部と、筐体内に配置されて、穴側が高く、基板側が低い傾斜面と、傾斜面に上方に向かって突設され、傾斜面を伝う水を基板を避ける方向へ導く第２凸部とを備えるものである。
【発明の効果】
【０００８】
この発明によれば、筐体の天面に開口した穴から天面内側を伝い第１凸部で傾斜面へ落下した水が、傾斜面から第２凸部へ流れて基板を避ける方向へ導かれるようにしたので、基板上方の穴から筐体内部へ侵入した水が基板にかかることを防止することができる。
【図面の簡単な説明】
【０００９】
【図１】この発明の実施の形態１に係る防水構造を適用した天吊り用表示装置の構成を示す斜視図である。
【図２】図１の天吊り用表示装置から意匠パネルとリモートコントローラを取り外した状態を示す斜視図である。
【図３】図２の天吊り用表示装置のＢ矢視図である。
【図４】図３の天吊り用表示装置から天面板金を取り外した状態を示す斜視図である。
【図５】図３の天吊り用表示装置をＣＣ線に沿って切断した断面図である。
【図６】図２の天吊り用表示装置のＢ矢視図であり、天面板金を取り外した状態を示す。
【図７】図６の枠線Ｅ内の拡大図である。
【図８】第１凸部と第２凸部の長さを説明するための、図２の矢印Ｂから見た投影図である。
【図９】実施の形態１に係る防水構造の変形例を示す斜視図である。
【発明を実施するための形態】
【００１０】
以下、この発明をより詳細に説明するために、この発明を実施するための形態について、添付の図面に従って説明する。
実施の形態１．
図１に示すように、天吊り用表示装置１は、矢印Ａの方向に開閉可能なモニタ２と、天井に固定される筐体３とから構成されている。天吊り用表示装置１を使用するときにはモニタ２を図１の状態に開いてモニタ画面２ａを露出させ、使用しないときにはモニタ２を筐体３に収納する。
【００１１】
図２は、天吊り用表示装置１から意匠パネル４とリモートコントローラ５を取り外した状態を示す斜視図である。筐体３は、意匠パネル４と、天面板金６と、筐体本体７とから構成されており、筐体本体７には、天吊り用表示装置１を操作するリモートコントローラ５が取り外し可能に設置されている。自動車等の天井に取り付けた状態の天吊り用表示装置１においては、天面板金６側が上、意匠パネル４側が下を向く。
【００１２】
図３は、天吊り用表示装置１を図２の矢印Ｂから見た斜視図であり、図４は、天面板金６を取り外して筐体本体７を露出させた斜視図である。
この天吊り用表示装置１を天井に固定した状態を保持するために、天面板金６には強度のある板金部品を使用する。板金部品から天面板金６の形状を形成する際、どうしても板金に穴６ａが開いてしまい、天井の結露等の水がこの穴６ａから筐体３の内部に入ってくる可能性がある。図示例では、筐体３に係止する爪を、天面板金６に形成したため、穴６ａが開口している。この穴６ａから侵入した水が基板８にかかると、最悪基板８がショートに至り機能しなくなる。それを防ぐため、天面板金６の穴６ａと基板８との間に、水の流れを規制する防水構造を設ける。
【００１３】
図５は、図３の天吊り用表示装置１をＣＣ線に沿って切断した断面図である。図６は、図２の天吊り用表示装置１のＢ矢視図であり、天面板金６を取り外した状態を示す。図７は、図６の枠線Ｅ内の拡大図である。
以下、図３〜図７を参照しながら、防水構造の詳細を説明する。
【００１４】
天面板金６において基板８を投影した面を基板投影面８ａ（図３に示す）とすると、第１凸部６ｂが、この天面板金６において基板投影面８ａより穴６ａ側に、下方に向かって突設されている。
他方、天面板金６に対面する筐体本体７において、穴６ａと基板８との間には、穴６ａ側が高く、基板８側が低い傾斜面７ａが形成されている。また、傾斜面７ａにおいて基板８の手前側には、第２凸部７ｂが、上方に向かって突設されている。
【００１５】
図５に矢印Ｄで示すように、穴６ａから侵入して天面板金６の内面を伝う水は、第１凸部６ｂで落下するので、基板８にかかることを防止できる。また、図７に矢印Ｆで示すように、第１凸部６ｂから傾斜面７ａへ落下した水は、傾斜に沿って第２凸部７ｂへ流れ、第２凸部７ｂにより基板８を避ける方向へ導かれるので、基板８にかかることを防止できる。
なお、天面板金６側にも、穴６ａから第１凸部６ｂ側へ向かうにつれて下方へ下がる傾斜面６ｃを設けて、穴６ａから侵入した水を第１凸部６ｂへ誘導する構造にしてもよい。
【００１６】
第２凸部７ｂの形状は、傾斜面７ａを伝う水を基板８を避ける方向へ導くことができれば、どのような形状であってもよい。
ここで、図８に、第２凸部７ｂと第１凸部６ｂの形状の一例を説明するために、図２の矢印Ｂから見た投影図を示す。水の侵入経路は、穴６ａと基板８とを結んだ線で形成される領域Ｇを取り得る。よって、第２凸部７ｂは、少なくともこの領域Ｇをふさぐ長さにすればよい。好ましくは、第２凸部７ｂを基板８より長い突条等にして、確実に被水を防止できるようにするとよい。同様に、第１凸部６ｂも、少なくとも領域Ｇをふさぐ長さにすればよく、好ましくは基板８より長くするとよい。
【００１７】
あるいは、図９に示す第２凸部７ｂのように、領域Ｇを囲うような、穴６ａ側を頂点とした山型に形成してもよい。
【００１８】
さらに、最終的に水が溜まる部分、即ち、第２凸部７ｂの終端部それぞれに、水抜き穴７ｃを設けて、基板８を収容した筐体本体７から意匠パネル４側へ水を排出する構造にしてもよい。
【００１９】
以上より、実施の形態１によれば、天吊り用表示装置１の防水構造を、筐体３の天面板金６において基板投影面８ａより穴６ａ側に、下方に向かって突設され、穴６ａから侵入して天面板金６の内側を伝う水を基板８の手前に落下させる第１凸部６ｂと、筐体３の内部に配置されて、穴６ａ側が高く、基板８側が低い傾斜面７ａと、傾斜面７ａに上方に向かって突設され、傾斜面７ａを伝う水を基板８を避ける方向へ導く第２凸部７ｂとを備える構成にした。このため、天面板金６に開口した穴６ａからこの天面板金６の内側を伝い第１凸部６ｂで傾斜面７ａへ落下した水が、傾斜面７ａから第２凸部７ｂを流れて基板８を避ける方向へ導かれ、基板８にかかることを防止できる。
【００２０】
また、実施の形態１によれば、第２凸部７ｂを、基板８の第２凸部７ｂに対向する端辺より長い突条にしたので、基板８への被水をより確実に防止できる。
【００２１】
また、実施の形態１によれば、天面板金６の内側に、穴６ａ側から第１凸部６ｂ側へ向かうにつれ下方に下がる傾斜面６ｃを形成した。そのため、天面板金６の内側を伝う水を第１凸部６ｂへ導くことができ、基板８への被水をより確実に防止できる。
【００２２】
また、実施の形態１では、本発明に係る防水構造を、自動車等の天井に取り付けて使用する天吊り用表示装置１に適用した例を説明したが、これに限定されるものではなく、一般的な電子機器に適用可能である。
【００２３】
また、本発明はその発明の範囲内において、実施の形態の任意の構成要素の変形、もしくは実施の形態の任意の構成要素の省略が可能である。
【産業上の利用可能性】
【００２４】
以上のように、この発明に係る防水構造は、筐体の天面において基板の投影面から外れた位置に開口された穴から筐体内部へ侵入する水が基板にかかることを防止したので、天井の結露等の水が当該穴から筐体内部へ侵入しやすい天吊り用表示装置等に用いる防水構造に適している。
【符号の説明】
【００２５】
１  天吊り用表示装置、２  モニタ、２ａ  モニタ画面、３  筐体、４  意匠パネル、５  リモートコントローラ、６  天面板金、６ａ  穴、６ｂ  第１凸部、６ｃ  傾斜面、７  筐体本体、７ａ  傾斜面、７ｂ  第２凸部、７ｃ  水抜き穴、８  基板、８ａ  基板投影面。
【図１】
0006038358.tif 000002
【図２】
0006038358.tif 000003
【図３】
0006038358.tif 000004
【図４】
0006038358.tif 000005
【図５】
0006038358.tif 000006
【図６】
0006038358.tif 000007
【図７】
0006038358.tif 000008
【図８】
0006038358.tif 000009
【図９】
0006038358.tif 000010